(57)【要約】      （修正有）【課題】マルチセルの通信システムにおいて、所定の条件に合致しないユーザによる所定の条件に合致するユーザの上り参照信号への干渉を避ける。【解決手段】少なくとも２つの基地局による上り参照信号のセル専用配置情報を取得し、前記セル専用配置情報に基づいて、上り参照信号の協調専用配置情報を決定し、前記協調専用配置情報により指示される協調リソースを、所定の条件に合致するユーザのために予約して、上り参照信号を送信するためのものとし、前記少なくとも２つの基地局の各々による上り参照信号のセル専用配置情報により指示されるリソースのうち、前記協調リソース以外のほかのリソースを、当該基地局の所定の条件に合致しないユーザに割り当てて、上り参照信号を送信するためのものとする。【選択図】図１
2013214955.tif 000002
【特許請求の範囲】
【請求項１】
マルチセルの通信システムに用いられる上り参照信号のリソース配置方法であって、
前記通信システムにおける少なくとも２つの基地局による上り参照信号のセル専用配置情報を取得し、
前記少なくとも２つの基地局のセル専用配置情報に基づいて、上り参照信号の協調専用配置情報を決定し、
前記協調専用配置情報により指示される協調リソースを、所定の条件に合致するユーザのために予約して、上り参照信号を送信するためのものとし、前記少なくとも２つの基地局の各々による上り参照信号のセル専用配置情報により指示されるリソースのうち、前記協調リソース以外のほかのリソースを、当該基地局の前記所定の条件に合致しないユーザに割り当てて、上り参照信号を送信するためのものとする、
ことを含むことを特徴とする方法。
【請求項２】
前記少なくとも２つの基地局のセル専用配置情報に基づいて、上り参照信号の協調専用配置情報を決定することは、
前記少なくとも２つの基地局のセル専用配置情報により指示されるリソースの積集合または和集合をとって協調リソースとし、前記協調リソースを指示するための協調専用配置情報を生成し、
あるいは、
前記少なくとも２つの基地局のセル専用配置情報により指示されるリソースの積集合または和集合をとって、所定のリソース集合の中から、前記積集合または和集合と共通部分がある１つまたは複数のリソース集合を選択して協調リソースとし、前記協調リソースを指示するための協調専用配置情報を生成する、
ことを含むことを特徴とする請求項１に記載の方法。
【請求項３】
前記方法は、協調マルチポイント（ＣｏＭＰ）をサポートする通信システムに用いられるものであり、当該通信システムには、協調ユーザにＣｏＭＰサービスを提供できる基地局が含まれ、前記所定の条件に合致するユーザは前記協調ユーザであり、前記所定の条件に合致しないユーザは普通ユーザであり、
前記少なくとも２つの基地局のセル専用配置情報に基づいて、協調専用配置情報を決定することは、
前記少なくとも２つの基地局のカバー範囲内における協調ユーザの数と普通ユーザの数との割合、または協調ユーザの数とユーザ総数との割合に基づいて、上り参照信号を送信するための総帯域幅から同じ割合の帯域幅を分割して、前記協調リソースの帯域幅総量とし、
あるいは、
協調ユーザの数、または協調ユーザの数と普通ユーザの数との割合、または協調ユーザの数とユーザ総数との割合が所定の閾値より大きい場合、前記閾値に対応する所定の帯域幅を前記協調リソースの帯域幅総量とする、
ことを含むことを特徴とする請求項２に記載の方法。
【請求項４】
前記少なくとも２つの基地局のうちの第１基地局は、前記協調リソースの中から第１リソースを選出して、前記第１基地局のカバー範囲内における所定の条件に合致する第１ユーザに割り当てて、上り参照信号を送信するためのものとし、前記第１リソースは、前記少なくとも２つの基地局のカバー範囲内における所定の条件に合致する第２ユーザが上り参照信号を送信するための第２リソースと異なる、
ことをさらに含むことを特徴とする請求項１に記載の方法。
【請求項５】
前記第１リソースと第２リソースとは、異なるサブキャリア集合を用いる、ことを特徴とする請求項４に記載の方法。
【請求項６】
前記協調リソースの中から第１リソースを選出して、前記第１基地局のカバー範囲内における所定の条件に合致する第１ユーザに割り当てて、上り参照信号を送信するためのものとすることは、
前記協調リソースの中からＭ種類のサブキャリア間隔（Ｃｏｍｂ）を決定して、基本シーケンスのＮ種類の循環シフトと互いに組み合わせて、１６個の異なるリソース組み合わせを得、ここで、ＭとＮの値は、２と８、４と４、８と２、または１６と１であり、
前記１６個の異なるリソース組み合わせの中から１つを選択して前記第１リソースとする、
ことを含むことを特徴とする請求項４に記載の方法。
【請求項７】
前記少なくとも２つの基地局のうちの第１基地局は、前記第１基地局のカバー範囲内における所定の条件に合致する第１ユーザに第１直交カバーコードを割り当てて、上り参照信号を送信するためのものとし、ここで、第１直交カバーコードは、前記少なくとも２つの基地局のカバー範囲内における所定の条件に合致してかつ使用された協調リソースの一部または全部が同じである第２ユーザが用いる第２直交カバーコードと異なり、
前記第１ユーザは、前記第１直交カバーコードを利用して、送信対象の少なくとも２つの上り参照信号のシンボルを重み付けし、重み付けされた上り参照信号を割り当てられた協調リソースで送信し、ここで、重み付けされる上り参照信号のシンボル数は、直交カバーコードの長さと等しい、
ことをさらに含むことを特徴とする請求項１に記載の方法。
【請求項８】
前記少なくとも２つの基地局のうちの第１基地局は、所定の条件に合致する第１ユーザに割り当てられたプリコーディング行列の情報を、第１ユーザに提供して、上り参照信号を送信するためのものとし、
前記第１ユーザは、前記プリコーディング行列を利用して、送信対象の上り参照信号をプリコーディングし、プリコーディングされた上り参照信号を割り当てられた協調リソースで送信する、
ことをさらに含むことを特徴とする請求項１に記載の方法。
【請求項９】
前記所定の条件に合致するユーザは、前記基地局で受信された上り信号の強度または信号対干渉雑音比（ＳＩＮＲ）が所定の閾値より低いユーザであり、
あるいは、
前記方法は、協調マルチポイント（ＣｏＭＰ）をサポートする通信システムに用いられるものであり、当該通信システムには、協調ユーザにＣｏＭＰサービスを提供できる基地局が含まれ、前記所定の条件に合致するユーザは前記協調ユーザであり、前記所定の条件に合致しないユーザは普通ユーザである、
ことを特徴とする請求項１、２、４〜８のいずれか１項に記載の方法。
【請求項１０】
マルチセルの通信システムに用いられる上り参照信号のリソース配置装置であって、
前記通信システムにおける少なくとも２つの基地局による上り参照信号のセル専用配置情報を取得する配置取得モジュールと、
前記配置取得モジュールにより取得されたセル専用配置情報に基づいて、上り参照信号の協調専用配置情報を決定する協調配置決定モジュールと、を含み、
ここで、前記協調専用配置情報により指示される協調リソースは、所定の条件に合致するユーザのために予約されて、上り参照信号を送信するためのものとされる、
ことを特徴とする装置。
【請求項１１】
前記協調配置決定モジュールは、前記少なくとも２つの基地局のセル専用配置情報により指示されるリソースの積集合または和集合をとって協調リソースとし、前記協調リソースを指示するための協調専用配置情報を生成し、あるいは、前記少なくとも２つの基地局のセル専用配置情報により指示されるリソースの積集合または和集合をとって、所定のリソース集合の中から、前記積集合または和集合と共通部分がある１つまたは複数のリソース集合を選択して協調リソースとし、前記協調リソースを指示するための協調専用配置情報を生成する、
ことを特徴とする請求項１０に記載の装置。
【請求項１２】
当該通信システムには、協調ユーザにＣｏＭＰサービスを提供できる基地局が含まれ、前記所定の条件に合致するユーザは前記協調ユーザであり、前記所定の条件に合致しないユーザは普通ユーザであり、
前記協調配置決定モジュールは、前記少なくとも２つの基地局のカバー範囲内における協調ユーザの数と普通ユーザの数との割合、または協調ユーザの数とユーザ総数との割合に基づいて、上り参照信号を送信するための総帯域幅から同じ割合の帯域幅を分割して、前記協調リソースの帯域幅総量とし、あるいは、協調ユーザの数、または協調ユーザの数と普通ユーザの数との割合、または協調ユーザの数とユーザ総数との割合が所定の閾値より大きい場合、前記閾値に対応する所定の帯域幅を前記協調リソースの帯域幅総量とする、
ことを特徴とする請求項１１に記載の装置。
【請求項１３】
マルチセルの通信システムにある基地局であって、
前記通信システムにおける自基地局と少なくとも１つの第２基地局とを含む少なくとも２つの基地局による上り参照信号のセル専用配置情報を取得する配置取得モジュールと、
配置取得モジュールにより取得されたセル専用配置情報に基づいて、上り参照信号の協調専用配置情報を決定する協調配置決定モジュールと、
前記協調専用配置情報により指示される協調リソースを、所定の条件に合致するユーザのために予約して、上り参照信号を送信するためのものとし、自基地局のセル専用配置情報により指示されるリソースのうち、前記協調リソース以外のほかのリソースを、自基地局の所定の条件に合致しないユーザに割り当てて、上り参照信号を送信するためのものとするリソース割当モジュールと、
を含むことを特徴とする基地局。
【請求項１４】
前記協調配置決定モジュールは、前記少なくとも２つの基地局のセル専用配置情報により指示されるリソースの積集合または和集合をとって協調リソースとし、前記協調リソースを指示するための協調専用配置情報を生成し、あるいは、前記少なくとも２つの基地局のセル専用配置情報により指示されるリソースの積集合または和集合をとって、所定のリソース集合の中から、前記積集合または和集合と共通部分がある１つまたは複数のリソース集合を選択して協調リソースとし、前記協調リソースを指示するための協調専用配置情報を生成する、
ことを特徴とする請求項１３に記載の基地局。
【請求項１５】
当該基地局は、当該通信システムにおける少なくとも１つのほかの基地局と協調して、協調ユーザにＣｏＭＰサービスを提供でき、前記所定の条件に合致するユーザは前記協調ユーザであり、前記所定の条件に合致しないユーザは普通ユーザであり、
前記協調配置決定モジュールは、前記少なくとも２つの基地局のカバー範囲内における協調ユーザの数と普通ユーザの数との割合、または協調ユーザの数とユーザ総数との割合に基づいて、上り参照信号を送信するための総帯域幅から同じ割合の帯域幅を分割して、前記協調リソースの帯域幅総量とし、あるいは、協調ユーザの数、または協調ユーザの数と普通ユーザの数との割合、または協調ユーザの数とユーザ総数との割合が所定の閾値より大きい場合、前記閾値に対応する所定の帯域幅を前記協調リソースの帯域幅総量とする、
ことを特徴とする請求項１４に記載の基地局。
【請求項１６】
前記リソース割当モジュールは、さらに、前記協調リソースの中から第１リソースを選出して、自基地局のカバー範囲内における所定の条件に合致する第１ユーザに割り当てて、上り参照信号を送信するためのものとし、ここで、前記第１リソースは、自基地局および前記第２基地局のカバー範囲内における所定の条件に合致する第２ユーザが上り参照信号を送信するための第２リソースと異なる、
ことを特徴とする請求項１３に記載の基地局。
【請求項１７】
前記リソース割当モジュールは、前記協調リソースの中から、第２リソースに比べて異なるサブキャリア集合を用いる第１リソースを選出して、第１ユーザに割り当てて、上り参照信号を送信するためのものとする、
ことを特徴とする請求項１６に記載の基地局。
【請求項１８】
前記リソース割当モジュールは、前記協調リソースの中からＭ種類のサブキャリア間隔（Ｃｏｍｂ）を決定して、基本シーケンスのＮ種類の循環シフトと互いに組み合わせて、１６個の異なるリソース組み合わせを得、前記１６個の異なるリソース組み合わせの中から１つを選択して前記第１リソースとし、ここで、ＭとＮの値は、２と８、４と４、８と２、または１６と１である、
ことを特徴とする請求項１６に記載の基地局。
【請求項１９】
前記リソース割当モジュールは、さらに、所定の条件に合致する第１ユーザに第１直交カバーコードを割り当てて、第１ユーザが第１直交カバーコードを利用して送信対象の少なくとも２つの上り参照信号のシンボルを重み付けするためのものとし、ここで、第１直交カバーコードは、前記少なくとも１つの第２基地局のカバー範囲内における所定の条件に合致してかつ使用された協調リソースの一部または全部が同じである第２ユーザが用いる第２直交カバーコードと異なり、重み付けされる上り参照信号のシンボル数は直交カバーコードの長さと等しい、
ことを特徴とする請求項１３に記載の基地局。
【請求項２０】
前記リソース割当モジュールは、さらに、所定の条件に合致する第１ユーザに割り当てられたプリコーディング行列の情報を、第１ユーザに提供して、上り参照信号を送信するためのものとする、
ことを特徴とする請求項１３に記載の基地局。
【請求項２１】
前記リソース割当モジュールは、受信された上り信号の強度または信号対干渉雑音比（ＳＩＮＲ）が所定の閾値より低いユーザを、前記所定の条件に合致するユーザとし、
あるいは、
当該基地局は、当該通信システムにおける少なくとも１つのほかの基地局と協調して、協調ユーザにＣｏＭＰサービスを提供でき、前記リソース割当モジュールは、協調ユーザを前記所定の条件に合致するユーザとして、普通ユーザを前記所定の条件に合致しないユーザとする、
ことを特徴とする請求項１３、１４、１６〜２０のいずれか１項に記載の基地局。
【発明の詳細な説明】
【技術分野】
【０００１】
本発明の実施例は、無線通信技術分野に関し、特に、通信システムにおける上り参照信号のリソース配置方法およびその装置に関する。
【背景技術】
【０００２】
上り参照信号には、基地局の上りデータ復調用の復調参照信号（ＤＭＲＳ：ＤｅＭｏｄｕｌａｔｉｏｎ  Ｒｅｆｅｒｅｎｃｅ  Ｓｉｇｎａｌ）と、上りチャネル品質測定用のサウンディング参照信号（ＳＲＳ：Ｓｏｕｎｄｉｎｇ  Ｒｅｆｅｒｅｎｃｅ  Ｓｉｇｎａｌ）とが含まれる。
【０００３】
従来のシステムにおいて、基地局は、自局のカバーするセル内におけるユーザに対して、上り参照信号の伝送リソースを割り当て、ユーザから送信された上り参照信号を受信して、上りチャネルの推定を行うためのものとする必要がある。具体的に、各セルは、自セル内におけるユーザの上り参照信号についてのそれぞれのセル専用リソース配置を有し、基地局は、自セルのセル専用リソース配置により指示されるリソースを、自セルのサービス対象ユーザに割り当てる。各ユーザは、基地局により割り当てられたリソースを利用して、基地局へ上り参照信号を送信する。この場合、基地局は、自セル内における異なるユーザに対して異なるリソースを割り当てることで、これらのユーザの上り参照信号間の相互干渉を避ける。但し、自セルのユーザが上り参照信号を送信するためのリソースは、ほかの基地局により隣接セルにおけるユーザに割り当てられて、データまたはほかの上り信号を送信するためのものとされる可能性がある。従って、自セルのユーザの上り参照信号は、隣接セルにおけるユーザの上り信号からの干渉を受けてしまう可能性がある。特に、自セルのユーザの上り参照信号の強度が比較的弱い場合、例えば、ユーザがセル端に位置するため、基地局との距離が比較的遠い場合、隣接セルからの干渉による影響が一層大きくなる。
【０００４】
また、協調マルチポイント（ＣｏＭＰ：Ｃｏｏｒｄｉｎａｔｅｄ  Ｍｕｌｔｉ−Ｐｏｉｎｔ）技術は、セル端スループットおよび平均スループットを向上させることができるため、ＬＴＥの後続進化のキー技術の１つとして認められる。ＣｏＭＰ技術は、地理的に分散した複数の伝送ポイントが、特定の協調方式（例えば、統合伝送、統合処理、協調スケジューリングなど）により、同じユーザにサービスする、ということを指す。ここで、複数の伝送ポイントは、完全なリソース管理モジュール、ベースバンド処理モジュールおよび無線周波数手段を有する基地局であってよく、または地理的位置が互いに異なる複数の無線周波数手段およびアンテナ（例えば、分散型アンテナ）であってもよく、または中継ノードなどであってもよい。ＣｏＭＰ技術を採用する場合、協調伝送を行う複数の基地局（以下、協調基地局と略称される）は、複数の基地局のＣｏＭＰサービスを受けるユーザ（以下、協調ユーザと略称される）から送信された上り参照信号を受信することで、当該協調ユーザからこれらの複数の協調基地局への上りチャネルの推定を行う必要がある。つまり、基地局は、ほかのセルに位置する協調ユーザから送信された上り参照信号を受信する必要がある。
【発明の概要】
【発明が解決しようとする課題】
【０００５】
しかしながら、従来のシステムにおいて、ＣｏＭＰ技術を採用する場合についての上り参照信号のリソース割当メカニズムがないため、１つのセルにおけるユーザが上り参照信号または上りデータを送信するためのリソースは、ほかのセルにおける協調ユーザが上り参照信号を送信するためのリソースと同じになる可能性がある。当該セルの基地局が当該協調ユーザの協調基地局である場合、協調基地局は、協調ユーザの上り参照信号を受信して、若干のチャネルパラメータを抽出して協調伝送のためのものとする必要がある。この場合、協調ユーザは協調基地局から比較的遠くて、その上り信号の強度が比較的弱いので、協調基地局で受信された自セルのユーザの上り参照信号または上りデータ信号は、協調ユーザの上り参照信号に比較的強い干渉を与えてしまい、これによって、当該基地局の協調伝送に不利な影響を及ぼすことになる。例えば、協調に参加する複数の基地局は、サウンディング参照信号（ＳＲＳ）を利用して複数のセルの下りチャネル状態情報（ＣＳＩＴ）を取得することにより、協調ユーザに対して、より良いＣｏＭＰサービスを提供することができる。ＴＤＤシステムにとっては、チャネルの相互性が存在するため、ＳＲＳを利用して複数のセルのＣＳＩＴを取得する方法は、特に有効である。長期的進化（ＬＴＥ）のバージョン１０（Ｒ１０）は、各セルが独立にＳＲＳをスケジューリングする方式を採用する。ＬＴＥ  Ｒ１０は複数のセルのＳＲＳ協調をサポートしないため、複数のセルのＳＲＳ伝送は、相互に干渉し、またはデータ伝送に干渉を与えることになり、これによって、複数のセルのＳＲＳに基づいてチャネル推定を行って得られた複数のセルのＣＳＩＴの品質がひどく損なわれてしまい、ＣｏＭＰの要求を満足できない。
【課題を解決するための手段】
【０００６】
本発明の実施例は、上記に鑑みてなされたものであって、通信システムにおける上り参照信号のリソース配置方法およびその装置を提供することで、隣接セルの上り信号によるユーザの上り参照信号への干渉を低減させる。
【０００７】
本発明の実施例は、マルチセルの通信システムに用いられる上り参照信号のリソース配置方法であって、
前記通信システムにおける少なくとも２つの基地局による上り参照信号のセル専用配置情報を取得し、
前記少なくとも２つの基地局のセル専用配置情報に基づいて、上り参照信号の協調専用配置情報を決定し、
前記協調専用配置情報により指示される協調リソースを、所定の条件に合致するユーザのために予約して、上り参照信号を送信するためのものとし、前記少なくとも２つの基地局の各々による上り参照信号のセル専用配置情報により指示されるリソースのうち、前記協調リソース以外のほかのリソースを、当該基地局の前記所定の条件に合致しないユーザに割り当てて、上り参照信号を送信するためのものとする、ことを含むことを特徴とする方法を提供する。
【０００８】
本発明の実施例は、マルチセルの通信システムに用いられる上り参照信号のリソース配置装置を提供する。当該装置は、
前記通信システムにおける少なくとも２つの基地局による上り参照信号のセル専用配置情報を取得する配置取得モジュールと、
前記配置取得モジュールにより取得されたセル専用配置情報に基づいて、上り参照信号の協調専用配置情報を決定する協調配置決定モジュールと、を含み、
ここで、前記協調専用配置情報により指示される協調リソースは、所定の条件に合致するユーザのために予約されて、上り参照信号を送信するためのものとされる。
【０００９】
本発明の実施例は、マルチセルの通信システムに位置する基地局を提供する。当該基地局は、
前記通信システムにおける自基地局と少なくとも１つの第２基地局とを含む少なくとも２つの基地局による上り参照信号のセル専用配置情報を取得する配置取得モジュールと、
配置取得モジュールにより取得されたセル専用配置情報に基づいて、上り参照信号の協調専用配置情報を決定する協調配置決定モジュールと、
前記協調専用配置情報により指示される協調リソースを、所定の条件に合致するユーザのために予約して、上り参照信号を送信するためのものとし、自基地局のセル専用配置情報により指示されるリソースのうち、前記協調リソース以外のほかのリソースを、自基地局の所定の条件に合致しないユーザに割り当てて、上り参照信号を送信するためのものとするリソース割当モジュールと、を含む。
【発明の効果】
【００１０】
上記の解決手段から分かるように、本発明の実施例で提供されている方法および装置は、上り参照信号を伝送するための通信リソースから協調リソースを専門的に分割して、当該少なくとも２つの基地局のカバー範囲内における協調ユーザの使用のために予約することができる。予約された協調リソースが普通ユーザの使用のために割り当てられることは許されない。即ち、当該領域内における普通ユーザが協調リソースを使用することは許されない。これによって、普通ＵＥによる協調ＵＥの上り参照信号への干渉を避けることができる。
【図面の簡単な説明】
【００１１】
【図１】本発明の実施例で提供されている通信システムにおける上り参照信号のリソース配置方法のフローチャートである。
【図２】本発明の実施例で提供されている上り参照信号のリソース配置装置の構成を示す図である。
【図３】本発明の実施例で提供されている上り参照信号のリソース配置方法のフローチャートである。
【図４】本発明の実施例で提供されている通信システムの構成を示す図である。
【図５】本発明の実施例で提供されている基地局の構成を示す図である。
【図６】本発明の実施例で提供されている通信システムの構成を示す図である。
【図７】本発明の実施例で提供されている上り参照信号のリソース配置方法のフローチャートである。
【図８】１つの例においてＳＲＳ信号についての協調リソースの予約および割当のメカニズムを示す図である。
【図９】１つの例において直交カバーコードを採用する原理を示す図である。
【図１０】本発明の１つの実施例における上り参照信号のリソース配置方法のフローチャートである。
【発明を実施するための形態】
【００１２】
本発明の実施例の目的、解決手段およびメリットをさらに明確にするために、以下、図面を参照して実施例を挙げながら、本発明の実施例をさらに詳しく説明する。
【００１３】
図１は、本発明の実施例で提供されている通信システムにおける上り参照信号のリソース配置方法のフローチャートを示す。図１に示すように、当該方法は、主に、以下のステップを含む。
【００１４】
ステップ１０１で、少なくとも２つの基地局による上り参照信号のセル専用配置情報を取得する。
【００１５】
ステップ１０２で、前記少なくとも２つの基地局のセル専用配置情報に基づいて、上り参照信号の協調専用配置情報を決定する。
【００１６】
ステップ１０３で、前記協調専用配置情報により指示される協調リソースを、所定の条件に合致するユーザのために予約して、上り参照信号を送信するためのものとし、前記基地局による上り参照信号のセル専用配置情報により指示されるリソースのうち、前記協調リソース以外のほかのリソースを、所定の条件に合致しないユーザに割り当てて、上り参照信号を送信するためのものとする。
【００１７】
上記の方法は、上り参照信号を伝送するための通信リソースから協調リソースを専門的に分割して、当該少なくとも２つの基地局のカバー範囲内における所定の条件に合致するユーザの使用のために予約する。予約された協調リソースが所定の条件に合致しないユーザに割り当てられることは許されない。これによって、これらのユーザ間の相互干渉を避けることができる。例えば、当該方法が、協調マルチポイント（ＣｏＭＰ）伝送をサポートする無線通信システムに用いられる場合、当該通信システムには、協調ユーザにＣｏＭＰサービスを提供できる基地局が含まれ、前記所定の条件に合致するユーザは協調ユーザであり、前記所定の条件に合致しないユーザは非協調ユーザ（以下、普通ユーザと略称される）であり、当該少なくとも２つの基地局のカバー範囲内における普通ユーザが協調リソースを使用することは許されない。これによって、普通ＵＥによる協調ＵＥの上り参照信号への干渉を避ける。当該方法が普通のマルチセルの通信システムに用いられる場合、前記所定の条件に合致するユーザは、前記基地局で受信された上り信号の強度または信号対干渉雑音比（ＳＩＮＲ）が所定の閾値より低いユーザであってよく、当該少なくとも２つの基地局のカバー範囲内における上り信号強度またはＳＩＮＲが比較的高いユーザが協調リソースを使用することは許されない。これによって、信号強度の良いＵＥによる信号強度の悪いＵＥの上り参照信号への干渉を避ける。
【００１８】
ここで、上記の少なくとも２つの基地局は、協調関係がある任意の基地局、例えば、隣接基地局、または同一の協調クラスタ（ｃｌｕｓｔｅｒ）に属する基地局などであってよい。
【００１９】
セル専用配置情報は、セルにおけるユーザのために予約された、上り参照信号の伝送に専用のリソース配置情報であり、異なるセルは、異なるセル専用配置情報を有することができる。
【００２０】
前記協調専用配置情報は、前記協調リソースの帯域幅、並びに時間領域および周波数領域での位置を指示するためのものである。前記協調リソースは、時間領域および／または周波数領域内で周期的に現れるものであってもよく、周波数領域では、集中する１つの周波数帯域であってもよく、分散した若干の周波数帯域の集合であってもよい。
【００２１】
上記の方法は、基地局から独立した装置により完成されてよく、基地局によって実現されてもよい。以下、例を挙げてそれぞれ説明する。
【００２２】
図２は、本発明の実施例で提供されている上り参照信号のリソース配置装置である。図２に示すように、当該装置２００は、主に、
通信システムにおける少なくとも２つの基地局による上り参照信号のセル専用配置情報を取得する配置取得モジュール２０１と、
前記配置取得モジュールにより取得されたセル専用配置情報に基づいて、上り参照信号の協調専用配置情報を決定する協調配置決定モジュール２０２と、を含み、
ここで、前記協調専用配置情報により指示される協調リソースは、所定の条件に合致するユーザのために予約されて、上り参照信号を送信するためのものとされる。
【００２３】
上記の配置取得モジュール２０１および協調配置決定モジュール２０２は、単に、機能によって分割して得られたロジックモジュールであり、実現される際に、同一のモジュールによって実現されてよく、複数のサブモジュールに分けて実現されてもよい。上記には、本発明の構成に関連する機能モジュールのみが挙げられ、実際に、当該装置には、ほかのモジュールが含まれてもよい。例えば、当該装置には、中央処理装置（ＣＰＵ）２０３、記憶モジュール２０４、通信モジュール２０５、内部バス２０６などが含まれてもよい。上記の配置取得モジュール２０１および協調配置決定モジュール２０２の機能は、実現される際に、ほかのモジュールの助けを必要とする可能性があり、例えば、ＣＰＵ２０３がデータ演算を行うこと、記憶モジュール２０４が各セルの専用配置情報および決定された協調専用配置情報を記憶すること、通信モジュール２０５が前記少なくとも２つの基地局との情報やりとりを行うことなどを必要とする。簡潔のために、これらの機能は、いずれも、配置取得モジュール２０１および協調配置決定モジュール２０２により完成されると記述する。内部バス２０６は、各モジュール間の情報やりとりの通路を提供するものであり、各モジュールを接続する１本のバスであってよく、上記の各モジュール間の複数本の線路により構成されてもよい。
【００２４】
上記装置は、ＣｏＭＰをサポートする通信システムに用いることができ、当該通信システムには、協調ユーザにＣｏＭＰサービスを提供できる基地局が含まれ、この場合、前記所定の条件に合致するユーザは前記協調ユーザであり、前記所定の条件に合致しないユーザは普通ユーザである。上記装置は、普通のマルチセルの通信システムに用いることもでき、この場合、前記所定の条件に合致するユーザは、前記基地局で受信された上り信号の強度またはＳＩＮＲが所定の閾値より低いユーザであってよい。
【００２５】
上記の装置は、上記の通信システムにおける独立の機器であってよく、上記の通信システムにおける既存の機器内のモジュールであってもよい。後者の場合で、上記のモジュール２０１〜２０６は、新に設けられたモジュールであってよく、既存の機器内の既存のモジュールによって実現されてもよい。
【００２６】
当該装置は、通信モジュール２０５を介して、当該通信システムにおける基地局との情報やりとりを行うことができる。このような情報やりとりは、直接的であってよく、ほかの機器またはネットワークによって中継されてもよい。当該装置と基地局との通信接続は、有線接続であってよく、無線接続であってもよいし、既存の通信プロトコルを採用してもよく、専門的に設計される通信プロトコルを採用してもよい。
【００２７】
当該装置が前記少なくとも２つの基地局のセル専用配置情報を取得することは、基地局から主動的または要求に応じて当該装置に送信されたものを受信することであってよく、あるいは、当該装置が各基地局または特定の機器から読み取ることであってよい。
【００２８】
図３は、本発明の実施例で提供されている上り参照信号のリソース配置方法のフローチャートである。当該方法は、図４に示す通信システム４００に用いられる。当該通信システム４００は、基地局４０１〜４０ｎ、ユーザ端末４１１〜４１ｎ、およびリソース配置装置４３０（即ち、図２に示すリソース配置装置２００）を含む。図３に示すように、当該方法は、主に、以下のステップを含む。
【００２９】
ステップ３０１で、リソース配置装置は、通信システムにおける少なくとも２つの基地局による上り参照信号のセル専用配置情報を取得する。
【００３０】
ステップ３０２で、リソース配置装置は、前記配置取得モジュールにより取得されたセル専用配置情報に基づいて、上り参照信号の協調専用配置情報を決定して、前記少なくとも２つの基地局に提供する。
【００３１】
ステップ３０３で、基地局は、前記協調専用配置情報を受信し、前記協調専用配置情報により指示される協調リソースを、協調ユーザのために予約して、上り参照信号を送信するためのものとし、当該基地局のセル専用配置情報により指示されるリソースのうち、前記協調リソース以外のほかのリソースを、当該基地局の普通ユーザに割り当てて、上り参照信号を送信するためのものとする。
【００３２】
ステップ３０２で、装置２００の協調配置決定モジュール２０２は、前記少なくとも２つの基地局のセル専用配置情報により指示されるリソースに基づいて、所定のポリシーに従って、前記協調リソースを決定することができる。例えば、前記少なくとも２つの基地局のセル専用配置情報により指示されるリソースの積集合または和集合をとって協調リソースとし、前記協調リソースを指示するための協調専用配置情報を生成し、あるいは、前記少なくとも２つの基地局のセル専用配置情報により指示されるリソースの積集合または和集合をとって、所定のリソース集合の中から、前記積集合または和集合と共通部分がある１つまたは複数のリソース集合を選択して協調リソースとし、前記協調リソースを指示するための協調専用配置情報を生成するといったようにしてもよい。
【００３３】
ステップ３０２で、装置２００の協調配置決定モジュール２０２は、協調ユーザおよび普通ユーザの数に基づいて、協調リソースの帯域幅を決定することができる。例えば、前記少なくとも２つの基地局のカバー範囲内における協調ユーザの数と普通ユーザの数との割合、または協調ユーザの数とユーザ総数との割合に基づいて、上り参照信号を送信するための総帯域幅から同じ割合の帯域幅を分割して、前記協調リソースの帯域幅総量とし、例えば、協調ユーザの数と普通ユーザの数との割合が１：５である場合、即ち、協調ユーザの数とユーザ総数との割合が１：６である場合、大きさが上り参照信号を送信するための総帯域幅の１／６である帯域幅リソースを分割して協調リソースとすることができる。あるいは、協調ユーザの数、または協調ユーザの数と普通ユーザの数との割合、または協調ユーザの数とユーザ総数との割合が所定の閾値より大きい場合、前記閾値に対応する所定の帯域幅を前記協調リソースの帯域幅総量とし、例えば、若干の閾値と帯域幅との対応関係を予め設定し、それから、実際の協調ユーザの数および／またはユーザ総数に基づいて、対応する協調リソースの帯域幅を決定することができる。ほかのポリシーを採用することもできる。例えば、協調ユーザまたは普通ユーザの通信品質を優先的に保証することを表す協調ユーザと普通ユーザとの間の優先度関係を設定することができ、このとき、優先度関係に従って、優先対象となるユーザ群に対して、比較的多い帯域幅リソースを割り当てることができる。例えば、システムでは協調ユーザの通信品質を優先的に保証するように設定する場合、装置２００は、まず、上記の方法に従って、協調リソースの帯域幅を決定し、それから、得られた帯域幅を基に、所定の割合の帯域幅だけ増加して、協調リソースの総帯域幅とすることができる。
【００３４】
このようにして、基地局４０１〜４０ｎは、協調装置４３０により割り当てられた協調リソースを、協調ユーザに割り当てて、上り参照信号を送信するためのものとするが、普通ユーザが当該協調リソースを使用することを許さないことができる。これによって、普通ユーザの上り信号による協調ユーザの上り参照信号への干渉を避ける。
【００３５】
当該実施例では、当該通信システム４００における基地局４０１〜４０ｎは、ＣｏＭＰをサポートする。当業者は、上記の構成に対して簡単な適応的調整を行うだけで、上記の方法をほかのシステム（例えば、普通のマルチセルシステム）に適用することができる。
【００３６】
図１における方法は、基地局によって実現されてもよい。図５は、本発明の実施例で提供されている基地局の構成を示す図である。図５に示すように、基地局５００は、主に、
自基地局と少なくとも１つの第２基地局とによる上り参照信号のセル専用配置情報を取得する配置取得モジュール５０１と、
配置取得モジュールにより取得されたセル専用配置情報に基づいて、上り参照信号の協調専用配置情報を決定する協調配置決定モジュール５０２と、
前記協調専用配置情報により指示される協調リソースを、所定の条件に合致するユーザのために予約して、上り参照信号を送信するためのものとし、自基地局のセル専用配置情報により指示されるリソースのうち、前記協調リソース以外のほかのリソースを、自基地局の所定の条件に合致しないユーザに割り当てて、上り参照信号を送信するためのものとするリソース割当モジュール５１０と、を含む。
【００３７】
上記の配置取得モジュール５０１、協調配置決定モジュール５０２およびリソース割当モジュール５１０は、単に、機能によって分割して得られたロジックモジュールであり、実現される際に、同一のモジュールによって実現されてよく、複数のサブモジュールに分けて実現されてもよい。上記には、本発明の構成に関連する機能モジュールのみが挙げられ、実際に、当該装置には、ほかのモジュールが含まれてもよい。例えば、当該装置には、中央処理装置（ＣＰＵ）５０３、記憶モジュール５０４、通信モジュール５０５、内部バス５０６、無線送受信モジュール５０７などが含まれてもよい。上記のように、上記のモジュール５０１、５０２および５１０の機能は、実現される際に、ほかのモジュールの助けを必要とする可能性があり、簡潔のために、いずれも、上記のモジュール５０１、５０２および５１０により完成されると記述する。内部バス５０６は、各モジュール間の情報やりとりの通路を提供するものであり、各モジュールを接続する１本のバスであってよく、上記の各モジュール間の複数本の線路により構成されてもよい。
【００３８】
上記のモジュール５０１〜５０６は、基地局内に新に設けられたモジュールであってよく、基地局の既存のモジュールによって実現されてもよい。
【００３９】
基地局の間では、各自の通信モジュール５０６によって、情報やりとりを行うことができる。このような情報やりとりは、直接的であってよく、ほかの機器またはネットワークによって中継されてもよいし、有線接続によるものであってよく、無線接続を採用してもよい。
【００４０】
基地局がほかの基地局のセル専用配置情報を取得することは、ほかの基地局から主動的または要求に応じて当該基地局に送信されたものを受信することであってよく、あるいは、当該基地局が各基地局または特定の機器から読み取ることであってよい。
【００４１】
図７は、本発明の実施例で提供されている上り参照信号のリソース配置方法のフローチャートである。当該方法は、図６に示す通信システム６００に用いられる。当該通信システム６００には、基地局６０１〜６０ｎと、ユーザ端末６１１〜６１ｎとが含まれている。ここで、基地局６０１〜６０ｎは、図５に示す基地局５００を採用する。図７に示すように、当該方法は、主に、以下のステップを含む。
【００４２】
ステップ７０１で、第１基地局は、第１基地局と少なくとも１つの第２基地局とによる上り参照信号のセル専用配置情報を取得する。
【００４３】
ステップ７０２で、第１基地局は、取得されたセル専用配置情報に基づいて、上り参照信号の協調専用配置情報を決定する。
【００４４】
ステップ７０３で、第１基地局は、前記協調専用配置情報により指示される協調リソースを、協調ユーザのために予約して、上り参照信号を送信するためのものとし、当該基地局のセル専用配置情報により指示されるリソースのうち、前記協調リソース以外のほかのリソースを、当該基地局の普通ユーザに割り当てて、上り参照信号を送信するためのものとする。
【００４５】
ステップ７０２で、基地局５００の協調配置決定モジュール５０２が協調リソースを決定する方法は、前述したステップ３０２において装置２００の協調配置決定モジュール２０２で採用される方法と同じであり、ここで、説明を省略する。
【００４６】
上記の方法では、第１基地局と前記少なくとも１つの第２基地局とは、協調関係がある基地局、または任意のいくつかの隣接基地局など、例えば、同一のｃｌｕｓｔｅｒに属する基地局などであってよい。事前の配置に基づいて、ｃｌｕｓｔｅｒ内の基地局は、各自のセル専用配置情報をやりとりし、例えば、ｃｌｕｓｔｅｒ内のほかの基地局のセル専用配置情報を受信して、自局のセル専用配置情報をｃｌｕｓｔｅｒ内のほかの基地局に提供する。
【００４７】
各基地局は、自分で意思決定して協調リソースを得、配置されたポリシーが同じであれば、異なる基地局で決定された協調リソースは同じになる。あるいは、各ｃｌｕｓｔｅｒの中に、協調リソースの決定を司る主基地局を予め配置しておき、ほかの基地局は、自局のセル専用配置情報を当該主基地局に提供し、主基地局は、協調リソースを決定した後、前記協調リソースを指示するための協調専用配置情報を生成して、ほかの基地局に提供するようにしてもよい。またあるいは、各基地局は、事前に配置されたあるポリシーに基づいて、候補協調リソースを決定し、それから、各基地局は、各自が決定した候補協調リソースの情報をやりとりし、当該ｃｌｕｓｔｅｒで最終的に採用される協調リソースをネゴシエーションで決定する。本発明は、複数の基地局が協調リソースを決定する方式について、限定しない。
【００４８】
当該実施例において、当該通信システム６００における基地局６０１〜６０ｎは、ＣｏＭＰをサポートする。当業者は、上記の構成に対して簡単な適応的調整を行うだけで、上記の方法をほかのシステム（例えば、普通のマルチセルシステム）に適用することができる。
【００４９】
上記の各実施例の構成を採用すれば、基地局は、協調専用配置情報を取得し、協調専用配置情報により指示される協調リソースの中から、適当なリソースを選出して、自局のカバー範囲内における所定の条件に合致するユーザに割り当てて、上り参照信号を送信するためのものとし、かつ、所定の条件に合致しないユーザが前記協調リソースを使用することを許さないことができる。これによって、後者のユーザによる前者のユーザへの干渉を避けることができる。
【００５０】
基地局が、協調専用配置情報により指示される協調リソースに基づいて、所定の条件に合致するユーザのために、上り参照信号を送信するためのリソースを割り当てることは、基地局が、前記協調リソースの中から第１リソースを選出して、自基地局のカバー範囲内における前記所定の条件に合致する第１ユーザに割り当てて、上り参照信号を送信するためのものとし、当該セルのセル専用配置情報により指示されるリソースのうち、前記協調リソース以外のリソースの中から、リソースを選出して、前記所定の条件に合致しない第２ユーザに割り当てて、上り参照信号を送信するためのものとする、ことを含むことができる。ここで、基地局は、協調リソースを所定の条件に合致しないユーザに割り当てることができなく、所定の条件に合致しないユーザが協調リソースを使用することは許されない。当該ステップは、基地局におけるリソース割当モジュールにより実行されてよい。
【００５１】
第１リソースは、自基地局および前記第２基地局のカバー範囲内における所定の条件に合致する第２ユーザが上り参照信号を送信するための第２リソースと異なる。例えば、第１リソースは、第２リソースと異なる周波数または周波数帯域、あるいは異なるサブキャリアまたはサブキャリア集合などを採用してもよい。
【００５２】
基地局は、ユーザに対して割り当てられる、上り参照信号を送信するためのリソースを決定した後、当該リソースを指示するためのユーザ専用配置情報を生成して、協調ユーザに送信することができる。
【００５３】
基地局が協調リソースの中から、あるユーザで具体的に採用されるリソースを決定することは、協調リソースに対して時間領域、周波数領域、コード領域での分割を行い、分割されたリソースを、所定の条件に合致する異なるユーザに割り当てて、上記第１リソースとすることにより、協調ユーザ間の時分割、周波数分割、コード分割を実現することできる。図８は、１つの例においてＳＲＳ信号についての協調リソースの予約および割当のメカニズムを示す図である。
【００５４】
例えば、周波数分割多重化（ＦＤＭ）という方式で、協調リソースの帯域幅を複数の周波数帯域に分割し、異なるユーザに対して異なる周波数帯域を割り当てて、上記第１リソースとすることができ、協調リソースの帯域幅を複数のサブキャリアに分割し、異なるサブキャリアの集合を異なるユーザに割り当てて、上記第１リソースとすることもできる。
【００５５】
サブキャリアを採用する場合、異なるサブキャリア間隔に基づいて、周波数コム（Ｃｏｍｂ）を定義することもできる。異なるユーザに対して異なるＣｏｍｂを割り当てることは、異なるユーザを区分することができ、異なるセルに位置するユーザに対して異なるＣｏｍｂを割り当てることは、異なるセルのユーザを区分することができる。後者の場合、各セルで採用されるＣｏｍｂは、集中的なリソース配置装置により決定されてよく、複数の基地局によりネゴシエーションでまたは所定のポリシーに基づいて決定されてもよい。
【００５６】
異なるユーザの参照シーケンスは、基本シーケンスの異なる循環シフト（ＣＳ）により生成され、同じ周波数帯域内における異なるユーザの参照シーケンスは、異なるＣｏｍｂとＣＳとの助けを借りて区分される。現在、プロトコルでサポートされるＣＳの最大値が８であり、ｃｏｍｂの最大値が２であるため、同じ周波数帯域内のＳＲＳの最大多重化容量は１６である。
【００５７】
本発明の１つの実施例によれば、比較的多い種類のＣｏｍｂおよび比較的少ないＣＳ数を採用するとともに、その積を一定にする（例えば、積を１６に維持する）ことができる。例えば、基地局は、前記協調リソースの中から４種類のＣｏｍｂを決定して、基本シーケンスの４種類の循環シフトと互いに組み合わせて、１６個の異なるリソース組み合わせを得、あるいは、基地局は、前記協調リソースの中から８種類のＣｏｍｂを決定して、基本シーケンスの２種類の循環シフトと互いに組み合わせて、１６個の異なるリソース組み合わせを得、前記１６個の異なるリソース組み合わせの中から、１つを選択して、前記第１リソースとすることができる。本実施例の構成に従って、Ｃｏｍｂの数を増加させるとともに、使用されるＣＳ数を減少させることは、チャネル状態情報（ＣＳＩ）の品質を保証する前提で、スケジューリングの柔軟性を増加させることができる。勿論、上記の構成は、協調リソースの割当に適用するばかりでなく、普通ユーザに対するリソース割当にも普遍的に適用し、また、ＤＭＲＳおよびＳＲＳに適用するばかりでなく、ほかの種類の上り信号にも適用する。
【００５８】
本発明の１つの実施例によれば、基地局は、協調ユーザのプリコーディングもサポートする。基地局は、上記所定の条件に合致するユーザに割り当てられたプリコーディング行列の情報を、前記ユーザに提供して、上り参照信号を送信するためのものとする。前記ユーザは、前記プリコーディング行列を利用して、送信対象の上り参照信号をプリコーディングし、プリコーディングされた上り参照信号を、割り当てられた協調リソースで送信する。
【００５９】
プリコーディング配置は、コードブック（ｃｏｄｅｂｏｏｋ）に基づく方式を採用してよく、非コードブックに基づく方式を採用してもよい。
【００６０】
コードブックに基づく方式で、基地局は、若干のコードワード（ｃｏｄｅｗｏｒｄ）の集合（即ち、コードブック）を予め定義し、それから、選定されたコードワードのインデックス（ｉｎｄｅｘ）をＵＥに通知し、ＵＥは、基地局で指定されたコードワードを使用して、ＳＲＳに対してプリコーディング処理を行う。
【００６１】
非コードブックに基づく方式で、基地局は、プリコーディングを行うかどうかと、プリコーディング後の等価アンテナポート数とだけをＵＥに通知する一方、ＵＥがどのようなプリコーディング行列を使用するかを指定しない。ＵＥは、プリコーディング行列を自分で選択することができる。
【００６２】
現在、ＬＴＥ  Ｒ１０は、ＳＲＳに対するプリコーディング処理をサポートしないが、本実施例では、ＳＲＳの場合にも、協調ユーザがプリコーディングを使用することが許される。これにより、ＳＲＳのコードリソースが節約され、かつ、信号エネルギーがさらに狭い空間方向に集中され、協調ユーザの信号品質を向上させる。
【００６３】
本発明の１つの実施例では、異なる直交カバーコード（ＯＣＣ）を採用して異なるユーザを区分する。
【００６４】
第１基地局は、第１ユーザに対して第１直交カバーコードを割り当てることができ、第１ユーザは、第１直交カバーコードを利用して、送信対象の上り参照信号のシンボルを重み付けし、重み付けされた上り参照信号を、割り当てられた協調リソースで送信する。ここで、第１直交カバーコードは、第２基地局のカバー範囲内における所定の条件に合致してかつ使用された協調リソースの一部または全部が同じである第２ユーザが用いる第２直交カバーコードと異なる。
【００６５】
この構成は、ＴＤＤシステムに特に適用する。ＴＤＤシステムにとっては、ＵｐＰＴＳに１つのみのＳＣ−ＦＤＭＡシンボルがある場合、当該シンボルはＳＲＳ伝送に用いることができ、ＵｐＰＴＳに２つのＳＣ−ＦＤＭＡシンボルがある場合、この２つのシンボルはいずれもＳＲＳ伝送に用いることができ、かつ、同一のＵＥの使用のために割り当てることができる。前述した実施例の構成を採用することで、ＵｐＰＴＳ内のＳＲＳとする２つのＳＣ−ＦＤＭＡシンボル内で、専用の探索領域が分割され、即ち、当該領域は、所定の条件に合致するユーザのＳＲＳのみに用いられる。この場合、この２つのシンボルの当該専用の探索領域内で、所定の条件に合致するユーザの２つのＳＲＳシンボルに対して、直交カバーコードの重み付け処理を導入することにより、直交カバーコードおよびそれとＦＤＭまたはＣｏｍｂとの組み合わせの助けを借りて、例えば、協調ユーザ（ＣｏＭＰ−ＵＥ）や、上り信号強度またはＳＩＮＲが所定の閾値より低いユーザのような異なるユーザを区分することができる。
【００６６】
直交カバーコードを導入することにより、時間、周波数、コードのリソースをより十分に利用でき、例えば、第１ユーザおよび第２ユーザに対して、一部または全部が同じであるリソースを割り当てて、上り伝送のためのものとし、直交カバーコードのみによって、この２つのユーザを区分することができる。
【００６７】
図９は、１つの例において直交カバーコードを採用する原理を示す図である。図中では、１つのユーザは、｛＋１，＋１｝を利用して直交カバーコードとし、２つのＳＲＳシンボルに対して重み付け処理を行い、ほかのユーザは、｛＋１，−１｝を利用して直交カバーコードとし、２つのＳＲＳシンボルに対して重み付け処理を行う。上記の処理により、この２つのユーザのＳＲＳは互いに直交になる。
【００６８】
直交カバーコードを採用することにより、基地局のスケジューリングの柔軟性を増加させ、ユーザの信号品質を改善することができる。異なるセルが異なる直交カバーコードを採用して異なるセルのユーザを区分する場合、異なるセルのユーザ間の干渉を減少させることができる。
【００６９】
勿論、直交カバーコードを採用する上記の構成は、協調ユーザに適用できるだけでなく、普通ユーザにも適用でき、また各種類の上り参照信号にも適用できる。また、直交カバーコードを採用する上記の構成は、異なるユーザを区分するために、単独に応用してよく、ほかの構成（例えば、上記のＦＤＭ、Ｃｏｍｂ、ＣＳなどの構成）とを組み合わせて応用してもよい。
【００７０】
また、本発明の１つの実施例において、協調リソースは、周波数ホッピングをサポートする。
【００７１】
また、協調リソースの帯域幅および出現周期は、動的に調整することもできる。例えば、協調リソースの帯域幅が協調ユーザの数により決定される場合、所定の条件で協調リソースの再決定または調整のプロセスをトリガーすることができる。所定の条件は、所定の時間長さ、協調ユーザの数の変化幅などであってよい。所定の条件が満足された場合、協調リソースの決定プロセスをもう一度実行することで、協調リソースを更新することができ、あるいは、協調ユーザの数の変化状況に基づいて、現在使用される協調リソースの上に、協調リソースを増加または減少させることができる。
【００７２】
以下、１つの具体的な例を挙げて、当業者が本発明の構成を理解することを助ける。当該例は、ＳＲＳを例として説明し、当業者は、非常に容易にそれを調整してほかの種類の上り参照信号に用いることができるはずである。
【００７３】
図１０は、本発明の１つの実施例における上り参照信号のリソース配置方法のフローチャートである。図１０に示すように、当該方法は、主に、以下のステップを含む。
【００７４】
ステップ１００１で、ＳＲＳを伝送するためのＳＣ−ＦＤＭＡシンボル内で、複数のセルのセル専用ＳＲＳ配置情報に基づいて、１つまたは複数の協調専用探索領域を決定する。
【００７５】
ステップ１００２で、当該協調専用探索領域におけるリソースを、協調ユーザのために予約して、ＳＲＳを送信するためのものとし、各基地局は、自セルのセル専用ＳＲＳ配置情報により指示されるリソースのうち、当該協調専用探索領域のリソース以外のリソースを、当該セルの普通ユーザに割り当てて、ＳＲＳを送信するためのものとする。つまり、当該協調専用探索領域におけるリソースは、協調ユーザがＳＲＳを送信することのみに用いられ、普通ユーザにより使用されることが許されない。
【００７６】
ステップ１００３で、基地局は、当該協調専用探索領域内のリソースを複数種類の異なるＣｏｍｂに分割する。
【００７７】
ステップ１００４で、ＳＲＳの総多重数１６を維持するままで、使用されるＣｏｍｂ数を増加させて使用されるＣＳ数を減少させ、即ち、４種類または８種類のＣｏｍｂと、基本シーケンスの４つまたは２つの循環シフト（ＣＳ）と互いに組み合わせて、１６個の異なる候補リソースグループを形成する。
【００７８】
ステップ１００５で、基地局は、候補リソースグループの中から、使用されていないリソースグループを選択して、協調ユーザに割り当てて、ＳＲＳを送信するためのものとする。
【００７９】
ステップ１００６で、基地局は、前記協調ユーザに対してプリコーディング行列および直交カバーコードを割り当てて、プリコーディング行列および直交カバーコードの情報を前記協調ユーザに送信する。
【００８０】
ステップ１００７で、前記協調ユーザは、基地局により割り当てられたリソースグループにおける基本シーケンスの循環シフトを利用して、送信対象のＳＲＳシーケンスを生成し、送信対象のＳＲＳシーケンスに対してプリコーディング、および直交カバーコードを利用する重み付け処理を行い、プリコーディングおよび重み付け処理が行われたＳＲＳシーケンスを、前記リソースグループにおけるＣｏｍｂを利用して送信する。
【００８１】
説明すべきものとして、上記の各フローおよび各構成図において、全てのステップおよびモジュールはいずれも必要であるわけではない。実際の必要に応じて、若干のステップまたはモジュールを省略してもよい。各ステップの実行順は、固定ではなく、必要に応じて調整してよい。各モジュールの分割は、単に、説明の便宜のために採用される機能的な分割にすぎず、実際に実現する際に、１つのモジュールは、複数のモジュールに分けて実現されてよく、複数のモジュールの機能は、同一のモジュールによって実現されてもよい。これらのモジュールは、同一の機器に位置してよく、異なる機器に位置してもよい。また、上記の説明では、「第１」、「第２」を採用することは、単に、同じ意味を有する２つの対象を便利に区分するためのものであり、それらに実質的な区別があることを表すわけではない。
【００８２】
本発明の実施例の構成は、協調専用リソースを予約することにより、複数のセルのＳＲＳ協調を実現するために必要なシグナリングやりとりのオーバヘッドを減少させることができる。同時に、普通ユーザとの相互干渉が避けされ、後方互換性が保証される。協調専用リソース内で、Ｃｏｍｂおよび／またはＯＣＣの助けを借りて、異なるユーザのＳＲＳが互いに直交することを実現することができ、複数のセルのＣＳＩＴの品質が保証されるとともに、協調のためにＳＲＳ基本シーケンスを専門的に予約する必要がない。また、異なるセルの協調ユーザは当該探索領域を同時に利用することができ、これによってリソース利用率を向上させる。また、使用されるＣｏｍｂ数を増加させることは、スケジューリングの柔軟性の増加にも役に立つ。
【００８３】
上記は、本発明の一部の実施例にすぎず、本発明の保護範囲を限定するものではない。本発明の範囲内で行われる種々の修正、均等置換え、改善などは全て本発明の保護範囲内に含まれるべきである。
【符号の説明】
【００８４】
２０１  配置取得モジュール
２０２  協調配置決定モジュール
２０３  ＣＰＵ
２０４  記憶モジュール
２０５  通信モジュール
２０６  内部バス
４３０  リソース配置装置
４０１〜４０ｎ  基地局
４１１〜４１ｎ  ユーザ端末
５０１  配置取得モジュール
５０２  協調配置決定モジュール
５０３  ＣＰＵ
５０４  記憶モジュール
５０５  通信モジュール
５０６  内部バス
５０７  無線送受信モジュール
５１０  リソース割当モジュール
６０１〜６０ｎ  基地局
６１１〜６１ｎ  ユーザ端末
【図１】
2013214955.tif 000003
【図２】
2013214955.tif 000004
【図３】
2013214955.tif 000005
【図４】
2013214955.tif 000006
【図５】
2013214955.tif 000007
【図６】
2013214955.tif 000008
【図７】
2013214955.tif 000009
【図８】
2013214955.tif 000010
【図９】
2013214955.tif 000011
【図１０】
2013214955.tif 000012